(57)【要約】【課題】  安定してターミナルカバーを取付保持することができる圧縮機のターミナル保護装置を提供する。【解決手段】  密閉容器に設けられたターミナルを囲繞するように密閉容器の外面に固定されたターミナルフェンス３と、ターミナルを覆うようにターミナルフェンス３に装着されるターミナルカバー４とを備えており、ターミナルカバー４は略矩形箱状を呈し、このターミナルカバー４は、その上下面及び左右面においてターミナルフェンス３に保持されるので、強固で安定的にターミナルカバー４を保持することができるようになる。【選択図】      図１４
2004293539.tif 000002
【特許請求の範囲】
【請求項１】
密閉容器に設けられたターミナルを囲繞するように前記密閉容器の外面に固定されたターミナルフェンスと、前記ターミナルを覆うように前記ターミナルフェンスに装着されるターミナルカバーとを備えて成る圧縮機のターミナル保護装置において、
前記ターミナルカバーは略矩形箱状を呈し、該ターミナルカバーは、その上又は下面、及び左右面において前記ターミナルフェンスに保持されることを特徴とする圧縮機のターミナル保護装置。
【請求項２】
前記ターミナルフェンスは、前記ターミナルの左右に位置して前記ターミナルカバーを保持する保持片と、前記ターミナルの下側に位置して前記ターミナルカバーが載置される受け片とを備え、
該受け片の前記密閉容器からの突出寸法は、前記保持片よりも大きいことを特徴とする請求項１記載の圧縮機のターミナル保護装置。
【請求項３】
前記保持片は係合孔を備え、前記ターミナルカバーは、前記係合孔に係脱可能に係合する複数の係合突起を左右側面に備えると共に、
当該ターミナルカバー側面の中央付近に位置する係合突起の高さを、他の係合突起よりも高くしたことを特徴とする請求項２記載の圧縮機のターミナル保護装置。
【請求項４】
前記ターミナルカバーは、前記受け片の左右に位置する取付ガイド部を備え、前記ターミナルフェンスの受け片の先端角部を湾曲形状とし、且つ、前記取付ガイド部の寸法を前記受け片の左右面寸法より短くしたことを特徴とする請求項３記載の圧縮機のターミナル保護装置。
【請求項５】
密閉容器に設けられたターミナルを囲繞するように前記密閉容器の外面に固定されたターミナルフェンスと、前記ターミナルを覆うように前記ターミナルフェンスに装着されるターミナルカバーとを備えて成る圧縮機のターミナル保護装置において、
前記ターミナルカバーは略矩形箱状を呈し、該ターミナルカバーは、その上下面又は左右面において前記ターミナルフェンスに保持され、前記ターミナルカバーはリード線引出部を備え、該リード線引出部は、前記ターミナルフェンス側の開口側から徐々に幅狭となる形状で切欠形成されると共に、当該ターミナルカバーが前記ターミナルフェンスに保持された状態で、当該ターミナルフェンスに一部が隠蔽されることを特徴とする圧縮機のターミナル保護装置。
【請求項６】
密閉容器に設けられたターミナルを囲繞するように前記密閉容器の外面に固定されたターミナルフェンスと、前記ターミナルを覆うように前記ターミナルフェンスに装着されるターミナルカバーとを備えて成る圧縮機のターミナル保護装置において、
前記ターミナルカバーは略矩形箱状を呈し、該ターミナルカバーは、その上下面又は左右面において前記ターミナルフェンスに保持され、前記ターミナルフェンスは、前記ターミナルカバー内における空き空間に位置するアース端子を一体に有していることを特徴とする圧縮機のターミナル保護装置。
【請求項７】
請求項１、請求項５又は請求項６のターミナルカバー保護装置のターミナルカバーが装着されたことを特徴とする圧縮機。
【請求項８】
請求項７の圧縮機を備えたことを特徴とする冷却貯蔵庫。
【発明の詳細な説明】
【技術分野】
【０００１】
本発明は、圧縮機の密閉容器に設けられたターミナルを保護するターミナル保護装置及びそれを備えた圧縮機及び冷却貯蔵庫に関するものである。
【背景技術】
【０００２】
従来より冷却貯蔵庫などの冷凍装置を構成する圧縮機は、密閉容器とこの密閉容器内に設けられた電動要素及び圧縮要素などから構成されており、この密閉容器外面には電動要素への給電や運転制御に用いられるターミナルが設けられている。このターミナルには過負荷リレーや始動リレーなどが取り付けられると共に、充電部となるため、樹脂製のターミナルカバーにて保護する必要がある（例えば、特許文献１参照。）
【特許文献１】特開平６−１２１４８５号公報
【発明の開示】
【発明が解決しようとする課題】
【０００３】
この場合、ターミナルの周囲には鋼板製のターミナルフェンスが密閉容器に取り付けられており、ターミナルカバーはこのターミナルフェンスに保持され、その状態でターミナルや上記各リレーなどを覆うことになるが、従来ターミナルカバーは上下においてターミナルフェンスに保持されているのみであったため、クリップなどで止めても振動などで外れ易くなる問題があった。
【０００４】
本発明は、係る従来の技術的課題を解決するために成されたものであり、安定してターミナルカバーを取付保持することができる圧縮機のターミナル保護装置及びそれを備えた圧縮機、冷却貯蔵庫を提供するものである。
【課題を解決するための手段】
【０００５】
本発明の圧縮機のターミナル保護装置では、密閉容器に設けられたターミナルを囲繞するように密閉容器の外面に固定されたターミナルフェンスと、ターミナルを覆うようにターミナルフェンスに装着されるターミナルカバーとを備えており、ターミナルカバーは略矩形箱状を呈し、このターミナルカバーは、その上又は下面及び左右面においてターミナルフェンスに保持されるので、強固で安定的にターミナルカバーを保持することができるようになる。また、ターミナルカバーは略矩形箱状を呈しているので、成形も容易で小型化も図れる。
【０００６】
請求項２の発明の圧縮機のターミナル保護装置では、上記各発明においてターミナルフェンスは、ターミナルの左右に位置してターミナルカバーを保持する保持片と、ターミナルの下側に位置してターミナルカバーが載置される受け片とを備え、この受け片の密閉容器からの突出寸法は、保持片よりも大きいので、ターミナルカバーをターミナルフェンスに装着する際、保持片に載置し易くなり、ターミナルカバーの取付作業性が向上する。
【０００７】
請求項３の発明の圧縮機のターミナル保護装置では、上記において保持片は係合孔を備え、ターミナルカバーは、係合孔に係脱可能に係合する複数の係合突起を左右側面に備えると共に、当該ターミナルカバー側面の中央付近に位置する係合突起の高さを、他の係合突起よりも高くしたので、ターミナルカバー側面の中央付近が成形時に内側に倒れ込んだ場合にも、係合突起をターミナルフェンスの保持片の係合孔に確実に係合させ、安定して装着することができるようになる。
【０００８】
請求項４の発明の圧縮機のターミナル保護装置では、請求項３又は請求項４においてターミナルカバーは、受け片の左右に位置する取付ガイド部を備え、ターミナルフェンスの受け片の先端角部を湾曲形状とし、且つ、取付ガイド部の寸法を受け片の左右面寸法より短くしたので、ターミナルカバーをターミナルフェンスから取り外す際、ターミナルカバーが容易に変形できるようになり、取り外しが容易となる。
【０００９】
請求項５の発明の圧縮機のターミナル保護装置では、上記においてターミナルカバーはリード線引出部を備え、このリード線引出部は、ターミナルフェンス側の開口側から徐々に幅狭となる形状で切欠形成されると共に、当該ターミナルカバーがターミナルフェンスに保持された状態で、当該ターミナルフェンスに一部が隠蔽されるので、ターミナルカバー内から引き出されるリード線を開口側からリード線引出部の幅の広い開口側から容易に挿入し、且つ、幅狭部分に集めてまとめることができるようになる。また、リード線引出部はターミナルフェンスに一部が隠蔽されるので、充電部に手指が触れる不都合も回避できる。
【００１０】
請求項６の発明の圧縮機のターミナル保護装置では、上記各発明においてターミナルフェンスは、ターミナルカバー内における空き空間に位置するアース端子を一体に有しているので、ターミナルカバー内の空き空間を利用してアースを取ることができるようになり、ターミナルカバーの小型化が図れると共に、アース端子はターミナルフェンスと一体であるので部品点数の削減も図れる。
【００１１】
請求項７の発明の圧縮機は、上記各発明のターミナルカバー保護装置のターミナルカバーが装着されているので、安全性と組立作業性、メンテナンス作業性の向上が図れる。
【００１２】
請求項８の発明の冷却貯蔵庫は、上記圧縮機を備えているので、同じく安全性と組立作業性、メンテナンス作業性の向上が図れる。
【発明の効果】
【００１３】
以上詳述した如く本発明によれば、密閉容器に設けられたターミナルを囲繞するように密閉容器の外面に固定されたターミナルフェンスと、ターミナルを覆うようにターミナルフェンスに装着されるターミナルカバーとを備えており、ターミナルカバーは略矩形箱状を呈し、このターミナルカバーは、その上下面及び左右面においてターミナルフェンスに保持されるので、強固で安定的にターミナルカバーを保持することができるようになる。また、ターミナルカバーは略矩形箱状を呈しているので、成形も容易で小型化も図れる。
【００１４】
請求項２の発明によれば、ターミナルフェンスは、ターミナルの左右に位置してターミナルカバーを保持する保持片と、ターミナルの下側に位置してターミナルカバーが載置される受け片とを備え、この受け片の密閉容器からの突出寸法は、保持片よりも大きいので、ターミナルカバーをターミナルフェンスに装着する際、保持片に載置し易くなり、ターミナルカバーの取付作業性が向上する。
【００１５】
請求項３の発明によれば、保持片は係合孔を備え、ターミナルカバーは、係合孔に係脱可能に係合する複数の係合突起を左右側面に備えると共に、当該ターミナルカバー側面の中央付近に位置する係合突起の高さを、他の係合突起よりも高くしたので、ターミナルカバー側面の中央付近が成形時に内側に倒れ込んだ場合にも、係合突起をターミナルフェンスの保持片の係合孔に確実に係合させ、安定して装着することができるようになる。
【００１６】
請求項４の発明によれば、ターミナルカバーは、受け片の左右に位置する取付ガイド部を備え、ターミナルフェンスの受け片の先端角部を湾曲形状とし、且つ、取付ガイド部の寸法を受け片の左右面寸法より短くしたので、ターミナルカバーをターミナルフェンスから取り外す際、ターミナルカバーが容易に変形できるようになり、取り外しが容易となる。
【００１７】
請求項５の発明によれば、ターミナルカバーはリード線引出部を備え、このリード線引出部は、ターミナルフェンス側の開口側から徐々に幅狭となる形状で切欠形成されると共に、当該ターミナルカバーがターミナルフェンスに保持された状態で、当該ターミナルフェンスに一部が隠蔽されるので、ターミナルカバー内から引き出されるリード線を開口側からリード線引出部の幅の広い開口側から容易に挿入し、且つ、幅狭部分に集めてまとめることができるようになる。また、リード線引出部はターミナルフェンスに一部が隠蔽されるので、充電部に手指が触れる不都合も回避できる。
【００１８】
請求項６の発明によれば、ターミナルフェンスは、ターミナルカバー内における空き空間に位置するアース端子を一体に有しているので、ターミナルカバー内の空き空間を利用してアースを取ることができるようになり、ターミナルカバーの小型化が図れると共に、アース端子はターミナルフェンスと一体であるので部品点数の削減も図れる。
【００１９】
請求項７の発明によれば、上記各発明のターミナルカバー保護装置のターミナルカバーが装着されているので、安全性と組立作業性、メンテナンス作業性の向上が図れる。
【００２０】
請求項８の発明によれば、上記圧縮機を備えているので、同じく安全性と組立作業性、メンテナンス作業性の向上が図れる。
【発明を実施するための最良の形態】
【００２１】
以下、図面に基づき本発明の実施形態を詳述する。図１は本発明のターミナル保護装置を適用した圧縮機１のターミナル２、ターミナルフェンス３及びターミナルカバー４部分の正面図、図２は図１の分解図である。圧縮機１は、家庭用・業務用の冷蔵庫や低温ショーケースなどの冷却貯蔵庫の冷却装置を構成するもので、密閉容器６とこの密閉容器６内部に図示しない電動要素とこの電動要素にて駆動される圧縮要素とを備えたレシプロ、ロータリ或いはスクロールタイプのコンプレッサであり、この密閉容器６の外面には前記電動要素に給電し、制御するためのターミナル２が当該密閉容器６を貫通して取り付けられている。
【実施例１】
【００２２】
３はターミナルフェンスであり、ターミナル２の周囲を囲繞するように密閉容器６の外面に溶接固定されている。このターミナルフェンス３は平板状の鋼板を折曲加工することで形成されており、図６乃至図８に示すように、密閉容器６に固定されたベース部７と、このベース部７の下縁を略直角に折曲して形成された受け片８と、ベース部７の左右縁上端部を同じく略直角に折曲して形成された上保持片９、９と、ベース部８の左右縁略中央部を同じく略直角に折曲して形成された下保持片１１、１１とを備えている。尚、１２はターミナル２が臨む丸孔である。
【００２３】
この場合、上保持片９、９はターミナルフェンスの左右上隅部に位置しており、下保持片１１、１１は上保持片９、９よりも外側にある。また、この下保持片１１、１１の先端部は徐々に拡開するように斜め外方（左右方向）に折曲されると共に、この拡開部分よりもベース部７側には矩形状の係合孔１３が形成されている。受け片８の密閉容器６からの突出寸法（図１８のＣ）は、上下保持片９、９、１１、１１の突出寸法（図１８のＤ）よりも大きくされており、その先端両角部は所定曲率の湾曲形状とされている。また、受け片８の基部（ベース部７側）の向かって右側にはアース端子１４が略垂直に切り起こして一体に形成されている。更に、受け片８の基部の向かって左側は内側に斜めにえぐられた形状とされている（図１５のＥで示す）。
【００２４】
一方、ターミナルカバー４は硬質合成樹脂から構成されており、図３乃至図５に示すように略矩形で一端が開口した箱状を呈している。ターミナルカバー４の上壁４Ａ下面左右には奥壁４Ｅ内面から開口方向に所定の寸法で突条１６、１６が一体に形成されており、更に、これら突条１６、１６下方のターミナルカバー４の左右側壁４Ｂ、４Ｃ内面には突起１７、１７がそれぞれ一体に形成されている。これら突条１６と突起１７により、ターミナルカバー４内の左右上隅部に挿入部１８、１８がそれぞれ構成される。
【００２５】
また、ターミナルカバー４の左右側壁４Ｂ、４Ｃ外面中央付近には、係合突起１９、１９が一体に突出形成されており、更に各係合突起１９、１９の下側にはもう一つの係合突起２１、２１がそれぞれ一体に形成されている。そして、係合突起１９の高さは係合突起２１の高さよりも高く形成されている（図３右円内）。尚、各係合突起１９、１９、２１、２１は開口側が徐々に低くなるように傾斜形状とされている。また、ターミナルカバー４の底壁４Ｄには、開口側からリード線引出部２２が切欠形成されている。このリード線引出部２２は、開口側が広く、奥壁４Ｅ方向が左右が略均等に傾斜しながら徐々に幅狭となる略Ｙ字状を呈している（図５）。
【００２６】
更に、ターミナルカバー４の底壁４Ｄ左右端には、開口側から所定寸法の範囲で取付ガイド部２３、２３が突出形成されている。この取付ガイド部２３、２３の寸法（図１５のＦ）は、ターミナルフェンス３の受け片８の左右面の寸法よりも短くされている。
【００２７】
以上の構成で、次にターミナルカバー４をターミナルフェンス３に装着する手順を説明する。先ず、ターミナル２には図２に示すように過負荷リレー３１や始動リレー３２を取り付ける。この状態で過負荷リレー３１はターミナルフェンス３内側上部に、始動リレー３２はターミナルフェンス３内側下部に位置する（図１２、図１３）。そして、これら過負荷リレー３１や始動リレー３２から出ている複数本のリード線３３をターミナルフェンス３の受け片８先端より下方に垂れ下げた状態で、ターミナルカバー４の開口を図１８、図１６に示すようにターミナルフェンス３に対向させ、図１９に示すようにその底壁４Ｄのリード線引出部２２左右をターミナルフェンス３の受け片８上に載置する。
【００２８】
このとき、受け片８は左右の保持片９、９、１１、１１よりも突出寸法が大きくされているので（図１８にＣとＤで示す）、ターミナルカバー４の底壁４Ｄを載置し易い。また、ターミナルカバー４の取付ガイド部２３、２３は受け片８の左右に位置し、位置決めとなると共に、密閉容器６側にスライドさせるための案内の役割を果たすので、その後のスライドも容易となる。
【００２９】
このように、ターミナルカバー４をターミナルフェンス３の受け片８上に載置した状態で、リード線３３はリード線引出部２２内に挿入する。このとき、リード線引出部２２の開口側の幅は大きくされているので、リード線３３の挿入も容易となる。その状態でターミナルカバー４を密閉容器６側へスライドさせていくと、上保持片９、９はターミナルカバー４の内側に入り、左右上隅部に構成された挿入部１８、１８内に進入する。一方、下保持片１１、１１ターミナルカバー４の外側に位置する。このとき、下保持片１１、１１の先端は拡開されているので、ターミナルカバー４が先端に当接することがない。そして、最終的な装着位置まで来ると、下保持片１１、１１の係合孔１３、１３内上下にターミナルカバー４の係合突起１９、１９、２１、２１が内側からそれぞれ係脱自在に係合する（図１、図９乃至図１４）。
【００３０】
係る係合孔１３、１３と係合突起１９、１９、２１、２１の係合によってターミナルカバー４はターミナルフェンス３に装着され、ターミナル２や過負荷リレー３１、始動リレー３２はターミナルカバー４内に覆われたかたちとなる。このとき、ターミナルフェンス３の上保持片９、９はターミナルカバー４内左右上隅部の挿入部１８、１８内に進入し、ターミナルカバー４の上壁４Ａ左右内面及び左右側壁４Ｂ、４Ｃ上端内面に当接する。また、左右側壁４Ｂ、４Ｃは下保持片１１、１１内側に対応すると共に、受け片８の左右端部はターミナルカバー４の底壁４Ｄ左右下面及び取付ガイド部２３、２３内面にそれぞれ当接する。
【００３１】
これにより、図１４に示す如くターミナルカバー４はその上面及び下面と、左右面においてターミナルフェンス３に保持されることになるので、ターミナルカバー４はターミナルフェンス３に安定的に装着保持される。また、リード線３３、３３はターミナルカバー４が密閉容器６側にスライドされる過程で、徐々に幅狭となるリード線引出部２２の奥部に集められてまとめられる（図１７）。そして、ターミナルカバー４がターミナルフェンス３に装着された状態で、受け片８はリード線引出部２２の開口側の幅広部分（一部）を隠蔽する（図１１）。これにより、リード線引出部２２から手指が入って内部の充電部に触れる不都合を回避できる。
【００３２】
また、ターミナルフェンス３のアース端子１４にはネジ３４により図示しないアース線が取り付けられるが、アース端子１４はターミナルカバー４内のターミナルフェンス３に向かって右下隅部に位置しており、ここは過負荷リレー３１や始動リレー３２が存在しない空き空間である（図１２、図１３）。係るターミナルカバー４内の空き空間を利用してアース端子１４によりアースを取ることができるので、ターミナルカバー４の小型化が図れる。また、アース端子１４はターミナルフェンス３と一体であるので部品点数の削減も図れる。
【００３３】
ここで、ターミナルカバー４は硬質合成樹脂により成形するため、最も寸法が長くなる左右側壁４Ｂ、４Ｃの中央付近が成形時に図２０に示す如く内側に倒れ込む。このように左右側壁４Ｂ、４Ｃが倒れ込むと、ターミナルフェンス３の係合孔１３から係合突起１９、２１が離間してしまうため、係合できなくなるが、実施例では前述の如く中央付近の係合突起１９、１９をその下方の係合突起２１よりも高くしているので、上述の如く側壁４Ｂ、４Ｃの中央付近が成形時に内側に倒れ込んだ場合にも、係合突起１９、１９をターミナルフェンス３の保持片１１、１１の係合孔１３に確実に係合させることが可能となる。これにより、装着状態も安定する。
【００３４】
次に、メンテナンスの際などにターミナルカバー４をターミナルフェンス３から取り外す際には、図２１乃至図２３に示すようにドライバー３６などの工具を一方の下保持片１１とターミナルカバー４間に差し込み、先端を内側に押し込んでターミナルカバー４の例えば側壁４Ｃを内側に変形させて係合突起１９、２１を係合孔１３から離脱させるものであるが、前述した如くターミナルカバー４はその左右上隅部及び左右下隅部においてターミナルフェンス３に上下左右から保持した場合には、変形させて外すことが難しくなる。
【００３５】
ここで、ターミナルカバー４の取付ガイド部２３、２３とターミナルフェンス３の受け片８との間には図２４に示すように僅少なクリアランスＨが存在するが、図２５に示すようにターミナルフェンス３の受け片８の先端角部が直角のままであると、上述の如くドライバーで変形させようとすると、ターミナルカバー４の取付ガイド部２３、２３が受け片８の先端角部（図２５Ｇ）に当たってしまい、ターミナルカバー４がターミナルフェンス３から外れ難くなる。
【００３６】
しかしながら、実施例では受け片８の先端角部を湾曲形状としており、且つ、取付ガイド部２３、２３の寸法を受け片の左右面寸法より短くしているので、ドライバー３６の先端を内側に押し込んだときのターミナルカバー４の変形がこれら取付ガイド部２３と受け片８とによって妨げられ難くなる。これにより、取り外し作業が容易となる。
【図面の簡単な説明】
【００３７】
【図１】本発明を適用した圧縮機のターミナル、ターミナルフェンス及びターミナルカバー部分の正面図である。
【図２】図１の分解図である。
【図３】図１のターミナルカバーの正面図である。
【図４】図１のターミナルカバーの側面図である。
【図５】図１のターミナルカバーの下面図である。
【図６】図１のターミナルフェンスの正面図である。
【図７】図１のターミナルフェンスの側面図である。
【図８】図１のターミナルフェンスの下面図である。
【図９】図１のターミナルフェンスにターミナルカバーを取り付けた状態の正面図である。
【図１０】図１のターミナルフェンスにターミナルカバーを取り付けた状態の側面図である。
【図１１】図１のターミナルフェンスにターミナルカバーを取り付けた状態の下面図である。
【図１２】図１のターミナルフェンスにターミナルカバーを取り付けた状態の縦断正面図である。
【図１３】図１のターミナルフェンスにターミナルカバーを取り付けた状態の縦断側面図である。
【図１４】図１のターミナルフェンスにターミナルカバーを取り付けた状態のターミナル、過負荷リレー及び始動リレーを除く縦断正面図である。
【図１５】図１のターミナルフェンスにターミナルカバーを取り付けた状態のもう一つの下面図である。
【図１６】図１のターミナルフェンスにターミナルカバーを取り付ける手順を説明する平断面図である。
【図１７】図１のターミナルフェンスにターミナルカバーを取り付ける手順を説明するもう一つの平断面図である。
【図１８】図１のターミナルフェンスにターミナルカバーを取り付ける手順を説明する側面図である。
【図１９】図１のターミナルフェンスにターミナルカバーを取り付ける手順を説明するもう一つの側面図である。
【図２０】図１のターミナルカバーのもう一つの正面図である。
【図２１】図１のターミナルカバーを取り外す手順を説明する斜視図である。
【図２２】図１のターミナルカバーを取り外す手順を説明する側面図である。
【図２３】図１のターミナルカバーを取り外す手順を説明する下面図である。
【図２４】ターミナルフェンスの受け片の比較例を示す図である。
【図２５】同じくターミナルフェンスの受け片の比較例を示す図である。
【符号の説明】
【００３８】
１  圧縮機
２  ターミナル
３  ターミナルフェンス
４  ターミナルカバー
６  密閉容器
８  受け片
９  上保持片
１１  下保持片
１３  係合孔
１４  アース端子
１８  挿入部
１９、２１  係合突起
２２  リード線引出部
２３  取付ガイド部
３３  リード線
【図１】
2004293539.tif 000003
【図２】
2004293539.tif 000004
【図３】
2004293539.tif 000005
【図４】
2004293539.tif 000006
【図５】
2004293539.tif 000007
【図６】
2004293539.tif 000008
【図７】
2004293539.tif 000009
【図８】
2004293539.tif 000010
【図９】
2004293539.tif 000011
【図１０】
2004293539.tif 000012
【図１１】
2004293539.tif 000013
【図１２】
2004293539.tif 000014
【図１３】
2004293539.tif 000015
【図１４】
2004293539.tif 000016
【図１５】
2004293539.tif 000017
【図１６】
2004293539.tif 000018
【図１７】
2004293539.tif 000019
【図１８】
2004293539.tif 000020
【図１９】
2004293539.tif 000021
【図２０】
2004293539.tif 000022
【図２１】
2004293539.tif 000023
【図２２】
2004293539.tif 000024
【図２３】
2004293539.tif 000025
【図２４】
2004293539.tif 000026
【図２５】
2004293539.tif 000027